(57)【特許請求の範囲】
【請求項１】
長手方向の一端から入射した光を他端側に誘導する線状の導光部材を、当該導光部材の幅方向に並べて構成した導光体と、
前記導光部材毎に用意されて、対応する導光部材に向けて光を照射する光源と、
前記光源の各々の点灯／消灯を制御する制御手段と、を有する照明装置であって、
前記導光体を、前記幅方向で隣接する第１導光部材および第２導光部材から構成し、
前記第１導光部材から出射される光の前記長手方向での輝度分布を、前記一端側から他端側に向かうにつれて暗くなるように構成し、
前記第２導光部材から出射される光の前記長手方向での輝度分布を、前記一端側から他端側に向かうにつれて明るくなるように構成し、
前記導光部材では、当該導光部材の厚み方向の一方の面が前記光の出射面とされていると共に、前記幅方向で隣接する前記第１導光部材の出射面と前記第２導光部材の出射面で、前記導光体の出射面を構成しており、
前記導光体の出射面を覆う遮光部材をさらに備えると共に、
前記遮光部材の周縁よりも内側には、透過した光を拡散させる帯状の光拡散部がさらに設けられており、
前記光拡散部は、前記導光部材の長手方向に対して所定角度傾斜して、前記光拡散部の長手方向の一端側が、前記第１導光部材の前記長手方向の一端側と重なり、他端側が、前記第２導光部材の前記長手方向の他端側に重なるように設けられており、
前記制御手段が、前記第１導光部材の光源と、前記第２導光部材の光源を、順番に点灯させたのち、順番に消灯させる構成としたことを特徴とする照明装置。
【請求項２】
前記光拡散部は、前記導光部材の長手方向に沿って設けられて、前記導光体の出射面の周縁よりも内側の領域を覆う大きさで形成されていることを特徴とする請求項１に記載の照明装置。
【請求項３】
長手方向の一端から入射した光を他端側に誘導する線状の導光部材を、当該導光部材の幅方向に複数並べて構成した導光体と、
前記導光部材毎に用意されて、対応する導光部材に向けて光を照射する光源と、
前記光源の各々の点灯／消灯を制御する制御手段と、を有する照明装置であって、
前記導光部材から出射される光の輝度分布を、前記導光部材の長手方向で異ならせて、
前記幅方向の一側に位置する導光部材から出射される光の前記長手方向での輝度分布を、前記長手方向の一端側の領域が最も明るくなるように設定すると共に、
前記幅方向の他側に位置する導光部材から出射される光の前記長手方向での輝度分布を、前記長手方向の他端側の領域が最も明るくなるように設定し、
前記幅方向の一側と他側に位置する導光部材の間で、前記幅方向に並んだ導光部材では、前記一側の導光部材側に位置する導光部材から前記他側の導光部材側に位置する導光部材になるにつれて、前記出射される光の輝度分布が最も明るくなる領域が、前記長手方向の一端側から他端側に順番に移動するように、各導光部材での前記出射される光の輝度分布を設定し、
前記導光部材では、当該導光部材の厚み方向の一方の面が前記光の出射面とされており、
前記導光部材の幅方向に複数並べた導光部材の出射面を覆う遮光部材をさらに備えると共に、
前記遮光部材の一部には、前記導光部材の出射面から出射された光を透過させると共に拡散させる帯状の光拡散部が設けられており、
前記光拡散部は、前記導光部材の長手方向に対して所定角度傾斜して、前記光拡散部の長手方向の一端側が、前記幅方向に並べた導光部材の一側に位置する導光部材の長手方向の一端側と重なり、他端側が、前記幅方向に並べた導光部材の他側に位置する導光部材の長手方向の他端側に重なるように設けられており、
前記制御手段が、前記一側の導光部材の光源から順番に前記他側の導光部材の光源まで点灯させることを特徴とする照明装置。
【請求項４】
長手方向に光を誘導する線状の導光部材を、当該導光部材の幅方向に複数並べて構成した導光体と、
前記導光部材毎に用意されて、対応する導光部材に向けて光を照射する光源と、
前記光源の各々の点灯／消灯を制御する制御手段と、を有する照明装置であって、
前記導光部材から出射される光の輝度分布を、前記導光部材の長手方向で異ならせて、
前記幅方向の一側に位置する導光部材から出射される光の前記長手方向での輝度分布を、前記長手方向の一端側の領域が最も明るくなるように設定すると共に、
前記幅方向の他側に位置する導光部材から出射される光の前記長手方向での輝度分布を、前記長手方向の他端側の領域が最も明るくなるように設定し、
前記幅方向の一側と他側に位置する導光部材の間で、前記幅方向に並んだ導光部材では、前記一側の導光部材側に位置する導光部材から前記他側の導光部材側に位置する導光部材になるにつれて、前記出射される光の輝度分布が最も明るくなる領域が、前記長手方向の一端側から他端側に順番に移動するように、各導光部材での前記出射される光の輝度分布を設定し、
前記幅方向で並んだ複数の導光部材では、前記幅方向における一側で隣接する所定数の導光部材と、前記他側で隣接する残りの導光部材とが位置をずらして設けられており、
前記一側で隣接する各導光部材に対応する光源を、前記長手方向の他端側に配置するとともに、
前記他側で隣接する残りの各導光部材に対応する光源を、前記長手方向の一端側に配置し、
前記導光部材では、当該導光部材の厚み方向の一方の面が前記光の出射面とされており、
前記導光部材の幅方向に複数並べた導光部材の出射面を覆う遮光部材をさらに備えると共に、
前記遮光部材の一部には、前記導光部材の出射面から出射された光を透過させると共に拡散させる帯状の光拡散部が設けられており、
前記光拡散部は、前記導光部材の長手方向に対して所定角度傾斜して、前記光拡散部の長手方向の一端側が、前記幅方向に並べた導光部材の一側に位置する導光部材の長手方向の一端側と重なり、他端側が、前記幅方向に並べた導光部材の他側に位置する導光部材の長手方向の他端側に重なるように設けられており、
前記制御手段が、前記一側の導光部材の光源から順番に前記他側の導光部材の光源まで順番に点灯させる構成としたことを特徴とする照明装置。
【請求項５】
前記導光部材の一端から他端側の所定範囲には、前記幅方向で隣接する他の導光部材との連結部が設けられており、前記幅方向に並べた複数の導光部材は、前記幅方向の一端側が前記連結部を介して互いに連結されて、前記導光部材を構成しており、
前記長手方向における前記連結部の長さを、前記一端から前記導光部材内に入射した光が、前記連結部内で前記導光部材と、当該導光部材の外部との境界に到達しない長さに設定したことを特徴とする請求項３または請求項４に記載の照明装置。
【請求項６】
前記導光部材では、当該導光部材の厚み方向の一方の面が、前記光の出射面とされていると共に、他方の面が、前記導光部材内に入射した光の反射面となっており、
前記導光部材の他端側では、前記出射面が、前記他端側に向かうにつれて前記導光部材の厚みが薄くなる向きで傾斜した傾斜部が設けられており、
前記傾斜部の前記反射面に対する傾斜角を、前記反射面で反射して前記傾斜部に到達した光が、前記長手方向における前記他端側に向かう方向に屈折する角度に設定したことを特徴とする請求項１から請求項５の何れか一項に記載の照明装置。
【請求項７】
前記導光部材では、当該導光部材の厚み方向の一方の面が前記光の出射面とされていると共に、他方の面が、前記導光部材内に入射した光の反射面となっており、
前記反射面に、入射した光の前記出射面に対する入射角を臨界角未満に変更する加工部が設けられており、
前記長手方向における前記加工部の分布を変更して、前記出射面から出射される光の前記長手方向における輝度分布を調整したことを特徴とする請求項１から請求項６の何れか一項に記載の照明装置。
【請求項８】
前記加工部は、前記出射面から離れる方向に頂点を位置させた複数の尖り状の突起から構成されており、前記導光部材において前記突起は、前記長手方向における前記頂点の両側に、前記導光部材の幅方向に沿う光の反射面を有していることを特徴とする請求項７に記載の照明装置。
【発明の詳細な説明】
【技術分野】
【０００１】
本発明は、照明装置に関する。
【背景技術】
【０００２】
特許文献１には、導光部材の長手方向の一端と他端に光源が配置された照明装置であって、一端の光源と他端の光源の両方を点灯、一端の光源の消灯、一端と他端の光源の消灯、を順番に繰り返すことで、導光部材内を一端から他端に向けて光が移動するように視認させるようにされた照明装置が開示されている。
【先行技術文献】
【特許文献】
【０００３】
【特許文献１】特開２０１４−８８０３号公報
【発明の概要】
【発明が解決しようとする課題】
【０００４】
しかしながら、この照明装置では、導光部材の長手方向の一端と他端に光源が設けられているので、導光部材の長手方向の長さが長くなると、光源と基板とを繋ぐ配線を長くする、または基板の長さを長くする必要があった。
そのため、配線を長くすると、配線の取り回しが煩雑となると共に、配線を配置するスペースを用意する必要があり照明装置が大型化すること、基板を長くすると、その分だけ照明装置が大型化すると共に製品コストも高くなってしまうことから、照明装置の大型化や製品コストが高くなるのを避けつつ、光が移動するように視認させるようにすることが求められている。
【課題を解決するための手段】
【０００５】
本発明は、
長手方向の一端から入射した光を他端側に誘導する線状の導光部材を、当該導光部材の幅方向に並べて構成した導光体と、
導光部材毎に用意されて、対応する導光部材に向けて光を照射する光源と、
光源の各々の点灯／消灯を制御する制御手段と、を有する照明装置であって、
導光体を、幅方向で隣接する第１導光部材および第２導光部材から構成し、第１導光部材から出射される光の長手方向での輝度分布を、一端側から他端側に向かうにつれて暗くなるように構成し、第２導光部材から出射される光の長手方向での輝度分布を、一端側から他端側に向かうにつれて明るくなるように構成し、
導光部材では、当該導光部材の厚み方向の一方の面が光の出射面とされていると共に、幅方向で隣接する第１導光部材の出射面と第２導光部材の出射面で、導光体の出射面を構成しており、
導光体の出射面を覆う遮光部材をさらに備えると共に、
遮光部材の周縁よりも内側には、透過した光を拡散させる帯状の光拡散部がさらに設けられており、
光拡散部は、導光部材の長手方向に対して所定角度傾斜して、光拡散部の長手方向の一端側が、第１導光部材の長手方向の一端側と重なり、他端側が、第２導光部材の長手方向の他端側に重なるように設けられており、
制御手段が、第１導光部材の光源と、第２導光部材の光源を、順番に点灯させたのち、順番に消灯させる構成とした。
【発明の効果】
【０００６】
このように構成すると、光源が点灯されると、第１導光部材では、長手方向の一端側が最も明るくなり、他端側に向かうにつれて暗くなる、また第２導光部材では、長手方向の一端側が最も暗くなり、他端側に向かうにつれて明るくなる。
よって、第１導光部材の光源と第２導光部材の光源を順番に点灯させたのち、順番に消灯すると、導光体では、明るい領域が、長手方向の一端から他端に向けて移動するように視認される。
このように、導光部材の長手方向における一端にのみ光源を設けて、導光体における明るい領域が、一端から他端に向けて移動するように視認させることができるので、光源と基板とを接続する配線の長さ、または基板の大きさを最小にして製品コストの低減を図ることができるので、照明装置の大型化や製品コストが高くなるのを避けつつ、光が移動するように視認させるようにすることができる。
【図面の簡単な説明】
【０００７】
【図１】実施の形態にかかる照明装置を説明する図である。
【図２】第１導光部材のプリズムを説明する図である
【図３】第２導光部材のプリズムを説明する図である
【図４】導光体における輝度分布を説明する図である。
【図５】制御部による光源の点灯／消灯の制御を説明する図である。
【図６】変形例にかかる導光体を有する照明装置を説明する図である。
【図７】変形例にかかる導光体を有する照明装置を説明する図である。
【図８】変形例にかかる導光体を有する照明装置を説明する図である。
【図９】遮光部材の変形例を説明する図である。
【図１０】遮光部材の変形例を説明する図である。
【図１１】遮光部材の変形例を説明する図である。
【図１２】変形例にかかる導光体を説明する図である。
【図１３】変形例にかかる導光体を説明する図である。
【発明を実施するための形態】
【０００８】
以下、第１の実施形態にかかる照明装置１を説明する。
図１は、照明装置１を説明するための模式図であり、（Ａ）は、照明装置１を光の出射面側から見た平面図であり、（Ｂ）は、（Ａ）に示した照明装置１から遮光部材４０を取り外した状態を示す図であり、（Ｃ）は、（Ａ）におけるＡ−Ａ断面図であり、（Ｄ）は、（Ａ）におけるＢ−Ｂ断面図である。
なお、図１では、説明の便宜上、導光体１０、光源２０、を収容するケースの図示を省略しており、図１の（Ａ）のみに、光源２０が設けられた基板２を図示している。
【０００９】
図１の（Ａ）に示すように、照明装置１は、長手方向の一端から入射した光を他端側に誘導する線状の導光部材（第１導光部材１１、第２導光部材１２）を幅方向に並べて構成した導光体１０と、導光部材（第１導光部材１１、第２導光部材１２）毎に用意されて、対応する導光部材（第１導光部材１１、第２導光部材１２）に向けて光を照射する光源２０（光源２０Ａ、２０Ｂ）と、第１導光部材１１と第２導光部材１２の光の出射面１１４、１２４に対向配置された遮光部材４０と、光源２０（光源２０Ａ、２０Ｂ）の各々の点灯／消灯を制御する制御部３０と、を備えている。
【００１０】
図１の（Ｄ）に示すように、第１導光部材１１と第２導光部材１２は、それぞれ同じ微少幅Ｗ１、Ｗ１と、微少厚みＷ２、Ｗ２で形成された線状の部材であり、矩形形状の断面を有している。
図１の（Ｂ）に示すように、第１導光部材１１と第２導光部材１２は、それぞれ同じ長さＬ１を有しており、一端１１１、１２１と、他端１１２、１２２の位置を揃えた状態で、幅方向に間隔Ｓ１を開けて互いに平行に設けられている。
【００１１】
第１導光部材１１と第２導光部材１２の長手方向の一端１１１、１２１は、それぞれ第１導光部材１１と第２導光部材１２の中心線Ｘ１、Ｘ２上で、光源２０Ａ、２０Ｂに対向配置されており、第１導光部材１１と第２導光部材１２の一端１１１、１２１は、これら光源２０Ａ、２０Ｂから照射された光の入射面となっている。
ここで、光源２０Ａ、２０Ｂは、制御部３０を構成するＭＰＵ（演算装置）と共に基板２上に実装されており、実施の形態では、発光ダイオード（Ｌｉｇｈｔ  Ｅｍｉｔｔｉｎｇ  Ｄｉｏｄｅ：ＬＥＤ）が、光源として採用されている。
【００１２】
第１導光部材１１と第２導光部材１２では、遮光部材４０（光拡散部４１）との対向面（図１の（Ｄ）における上側面）が、第１導光部材１１と第２導光部材１２に入射した光の出射面１１４、１２４となっており、反対側の面（図１の（Ｄ）における下側面）は、出射面１１４、１２４から出射される光の光量を調整するための加工が施された加工面１１３、１２３となっている。
【００１３】
第１導光部材１１と第２導光部材１２の出射面１１４、１２４は、光拡散部４１に対して平行な平坦面となっており、加工面１１３、１２３には、出射面１１４、１２４から離れる方向に突出したプリズム１１５、１２５が設けられている（図２、図３参照）。
【００１４】
ここで、第１導光部材１１のプリズム１１５と、第２導光部材１２のプリズム１２５は、形状が同じであるので、ここでは、第１導光部材１１のプリズム１１５の場合を例に挙げて、プリズム１１５の具体的な構成を説明し、第２導光部材１２のプリズム１２５については、必要に応じて説明をする。
【００１５】
図２は、第１導光部材１１のプリズム１１５を説明する図であり、（Ａ）は、第１導光部材１１の長手方向の一端１１１側（図１の（Ｃ）における領域Ｃ）の拡大図であり、（Ｂ）は、一端１１１側の加工面１１３に設けられたプリズム１１５を説明する拡大図である。（Ｃ）は、第１導光部材１１の長手方向の他端１１２側（図１の（Ｃ）における領域Ｄ）の拡大図であり、（Ｄ）は、他端１１２側の加工面１１３に設けられたプリズム１１５を説明する拡大図である。
図３は、第２導光部材１２のプリズム１２５を説明する図であり、（Ａ）は、第２導光部材１２の長手方向の一端１２１側の拡大図であり、（Ｂ）は、他端１２２側の拡大図である。
【００１６】
図２の（Ａ）から（Ｄ）に示すように、プリズム１１５は、出射面１１４から離れる方向に頂点１１５ａを位置させた尖形状に形成されている。
頂点１１５ａから見て、光源２０Ａ側（図２における左側）に位置する傾斜面１１５ｂと、反対側（図２における右側）の傾斜面１１５ｃは、第１導光部材１１の幅方向に沿う平坦面となっており、これら傾斜面１１５ｂ、１１５ｃの境界となる頂点１１５ａは、第１導光部材１１の幅方向に直線状に延びている。
【００１７】
プリズム１１５の傾斜面１１５ｃは、第１導光部材１１に入射した光の反射面となっている。実施の形態では、傾斜面１１５ｃで反射した光が、第１導光部材１１の出射面１１４に誘導されたのち、出射面１１４から外部に出射されるようになっており、この傾斜面１１５ｃで反射した光の出射面１１４に対する入射角θ２が、所定の臨界角θ３未満（図２の（Ａ）、破線）となるように、傾斜面１１５ｃの出射面１１４の法線ＶＬに対する角度θａが設定されている（図２の（Ａ）参照）。
【００１８】
ここで、第１導光部材１１では、一端１１１（光源２０Ａ）側でのプリズム１１５の密度が、他端１１２側でのプリズム１１５の密度よりも高くなるように、プリズム１１５が設けられている。
具体的には、第１導光部材１１の一端１１１側では、プリズム１１５が、第１導光部材１１の長手方向（図中左右方向）に連続して設けられている（図２の（Ａ）、（Ｂ）参照）のに対し、他端１１２側では、プリズム１１５が、第１導光部材１１の長手方向（図中左右方向）に間隔Ｗｘを空けて設けられている（図２の（Ｃ）、（Ｄ）参照）。
そして、第１導光部材１１の長手方向で隣接するプリズム１１５、１１５の間隔Ｗｘが、他端１１２側に向かうにつれて大きくなるように、各プリズム１１５の位置が決められている。
【００１９】
そのため、実施の形態にかかる第１導光部材１１では、当該第１導光部材１１の長手方向におけるプリズム１１５の頂点１１５ａの間隔（Ｌ１ａ、Ｌ１ｂ）が、他端１１２側に向かうにつれて広くなっており、プリズム１１５の密度が他端１１２側に向かうにつれて小さくなっている。
そのため、第１導光部材１１では、出射面１１４から出射される光の量が、一端１１１側から他端１１２側に向かうにつれて少なくなって、図４に示すように、第１導光部材１１から出射される光の量（長手方向における輝度分布）が、一端１１１から他端１１２に向かうにつれて徐々に少なくなるようにされている。
【００２０】
これに対して第２導光部材１２では、図３に示すように、当該第２導光部材１２の長手方向におけるプリズム１２５の頂点１２５ａの間隔（Ｌ２ａ、Ｌ２ｂ）が、他端１２２側に向かうにつれて狭くなっており、プリズム１２５の密度が他端１２２側に向かうにつれて多くなっている。
そのため、第２導光部材１２では、出射面１２４から出射される光の量が、一端１２１側から他端１２２側に向かうにつれて多くなって、図４に示すように、第２導光部材１２から出射される光の量（長手方向における輝度分布）が、一端１２１から他端１２２に向かうにつれて徐々に多くなるように設定されている。
【００２１】
ここで、照明装置１の導光体１０では、隣接する第１導光部材１１と第２導光部材１２との間が、所定の間隔Ｓ１の空気層となっており（図１の（Ｄ）参照）、この空気層の部分が、光が出射されない暗部となっている。
そのため、導光体１０では、光源２０Ａ、２０Ｂの両方を点灯した際に、空気層に沿って、スジ状の影（暗部）が生じてしまう。
【００２２】
また、前記したように、第１導光部材１１と第２導光部材１２では、第１導光部材１１と第２導光部材１２の幅方向に延びるプリズム１１５、１２５の頂点１１５ａ、１２５ａの部分が、縞状の影となってしまう。
そのため、実施の形態では、これらの影を見え難くするために、帯状の光拡散部４１が、第１導光部材１１と第２導光部材１２とから構成される導光体１０に対向して設けられた遮光部材４０に設けられている。
【００２３】
光拡散部４１は、平面視において矩形形状を成す遮光部材４０で、第１導光部材１１と第２導光部材１２の長手方向に沿う向きで設けられた帯状の部材であり（図１の（Ａ）参照）、第１導光部材１１の出射面１１４と第２導光部材１２の出射面１２４との間に間隔ｈ１を開けて設けられている（図１の（Ｄ）参照）。
【００２４】
この光拡散部４１は、第１導光部材１１と第２導光部材１２との間隔Ｓ１を、導光体１０の幅方向（図１の（Ａ）における上下方向）に跨いで設けられている。
そのため、第１導光部材１１の出射面１１４から出射された光と、第２導光部材１２の出射面１２４から出射された光の一部が、光拡散部４１により拡散されて、第１導光部材１１と第２導光部材１２との間隔Ｓ１（第１導光部材１１の側面１１７と第２導光部材１２の側面１２６との間隔Ｓ１：図１の（Ｄ）参照）を横切る方向に通過するようになっており、この間隔Ｓ１を横切る方向に通過する光により、第１導光部材１１と第２導光部材１２との間隔Ｓ１の部分に形成されるスジ状の影（暗部）を見え難くしている。
【００２５】
また、光拡散部４１により拡散された光が、第１導光部材１１と第２導光部材１２のプリズム１１５、１２５の頂点１１５ａ、１２５ａを横切る方向にも通過するため、この頂点１１５ａ、１２５ａを横切る方向に通過する光により、プリズム１１５、１２５の頂点１１５ａ、１２５ａに起因する縞状の影を見え難くしている。
【００２６】
実施の形態では、光拡散部４１は、図１の（Ｃ）、（Ｄ）に示すように、当該光拡散部４１の周縁４１ａが、導光体１０の周縁（第１導光部材１１の一端１１１、他端１１２、側面１１６、第２導光部材１２の一端１２１、他端１２２、側面１２７）から内側に所定幅Ｗａオフセットした位置に配置される外形（面積）で形成されている。
【００２７】
この光拡散部４１の周縁４１ａは、全周に亘って、板状の遮光部材４０により囲まれており、この遮光部材４０は、光を透過しない材料で形成されている。
そのため、第１導光部材１１の出射面１１４と、第２導光部材１２の出射面１２４とから構成される導光体１０では、当該導光体１０の周縁が、光拡散部４１と遮光部材４０との境界により明確に規定されている。
よって、導光体１０から出射される光の周縁が、明確に区別できるようになっており、
出射される光の周縁が曖昧になって、視認される光の境界がぼやけた（滲んだ）感じになることを好適に防止できるようになっている。
【００２８】
次に、光源２０（２０Ａ、２０Ｂ）の発光タイミングを制御する制御部３０の動作を説明する。
図５は、制御部３０による光源２０Ａと光源２０Ｂの点灯／消灯の制御を説明する図である。
制御部３０は、例えば、所定の動作指令信号の受信を契機として、（１）光源２０Ａの点灯、（２）光源２０Ｂの点灯（光源２０Ａと光源２０Ｂの同時点灯）、（３）光源２０Ａの消灯、（４）光源２０Ｂの消灯（光源２０Ａと光源２０Ｂの同時消灯）を実行するように構成されている。
ここで、光源２０Ａと光源２０Ｂの両方が点灯される時間は、時間Δｓに設定されており（図５参照）、光源２０Ａと光源２０Ｂが、順番に点灯されたのち、順番に消灯されるようになっている。
【００２９】
前記したように、光源２０Ａが照射した光が入射する第１導光部材１１は、長手方向の一端１１１から他端１１２に向かうにつれて、出射面１１４から出射される光の量が少なくなるように設定されており、光源２０Ｂが照射した光が入射する第２導光部材１２は、長手方向の一端１２１から他端１２２に向かうにつれて、出射面１２４から出射される光の量が多くなるように設定されている。
そのため、上記（１）から（４）の点灯態様を実行すると、第１導光部材１１と第２導光部材１２とから構成される導光体１０では、当該導光体１０内を一端から他端に向けて光が移動するように、ユーザに視認させることができるようになっている。
【００３０】
以上の通り、実施の形態では、
（１）長手方向の一端から入射した光を他端側に誘導する線状の導光部材を、当該導光部材の幅方向に並べて構成した導光体１０と、導光部材毎に用意されて、対応する導光部材に向けて光を照射する光源２０と、光源２０の各々の点灯／消灯を制御する制御部３０（制御手段）と、を有する照明装置１であって、
導光体１０を、幅方向で隣接する第１導光部材１１および第２導光部材１２から構成し、第１導光部材１１から出射される光の長手方向での輝度分布を、一端１１１側から他端１１２側に向かうにつれて暗くなるように構成し、
第２導光部材１２から出射される光の長手方向での輝度分布を、一端１２１側から他端１２２側に向かうにつれて明るくなるように構成し、
制御部３０が、第１導光部材１１の光源２０Ａを点灯させたのちに、第２導光部材１２の光源２０Ｂを点灯させると共に、第１導光部材１１の光源２０Ａを消灯させたのちに、第２導光部材１２の光源２０Ｂを消灯させて、光源２０Ａと光源２０Ｂを、順番に点灯させたのち、順番に消灯させる構成とした。
【００３１】
このように構成すると、光源２０Ａ、２０Ｂが点灯されると、第１導光部材１１では、長手方向の一端１１１側が最も明るくなり、他端１１２側に向かうにつれて暗くなる、また第２導光部材１２では、長手方向の一端１２１側が最も暗くなり、他端１２２側に向かうにつれて明るくなる。
よって、第１導光部材１１の光源２０Ａを点灯させた後に、第２導光部材１２の光源２０Ｂを点灯させると共に、第１導光部材１１の光源２０Ａを消灯させた後に、第２導光部材１２の光源２０Ｂを消灯させると、導光体１０では、出射される光の明るい領域が、長手方向の一端から他端に向けて移動するように、ユーザにより視認される。
このように、導光部材（第１導光部材１１、第２導光部材１２）の長手方向における一端にのみ光源２０（２０Ａ、２０Ｂ）を設けて、導光体１０における明るい領域が、一端から他端に向けて移動するように視認させることができるので、光源２０（２０Ａ、２０Ｂ）が設けられる基板２を、導光体１０の一端側のみに設けることができる。
よって、導光部材（第１導光部材１１、第２導光部材１２）から構成される導光体１０の長手方向の長さが長くなっても、光源２０（２０Ａ、２０Ｂ）が長手方向の一端にのみ設けられているので、基板２の長さを長くすることや、光源２０（２０Ａ、２０Ｂ）と基板２とを繋ぐ配線を別途用意することを必要としないので、照明装置１の大型化や製品コストが高くなるのを避けつつ、ユーザに、光が移動するように視認させることができる。
【００３２】
（２）導光部材（第１導光部材１１、第２導光部材１２）では、当該導光部材の厚み方向の一方の面が光の出射面１１４、１２４とされているとともに、幅方向で隣接する第１導光部材１１の出射面１１４と第２導光部材１２の出射面１２４で、導光体１０の出射面を構成しており、
導光体１０の出射面を覆う板状の遮光部材４０をさらに備えるとともに、
遮光部材４０の周縁４０ａよりも内側には、第１導光部材１１の出射面１１４と第２導光部材１２の出射面１２４から出射された光を拡散させる帯状の光拡散部４１が設けられており、
光拡散部４１は、第１導光部材１１と第２導光部材１２の長手方向に沿って設けられて、導光体１０の出射面（第１導光部材１１の出射面１１４、第２導光部材１２の出射面１２４）の周縁（第１導光部材１１の一端１１１、他端１１２、側面１１６と、第２導光部材１２の一端１２１、他端１２２、側面１２７）から内側に所定幅Ｗａオフセットした位置に配置される外形（面積）で形成されて、導光体１０の出射面の周縁よりも内側の領域を覆う大きさで設けられている構成とした。
【００３３】
このように構成すると、第１導光部材１１から出射した光と第２導光部材１２から出射した光は、光拡散部４１を透過する際に拡散される。
ここで、第１導光部材１１の出射面１１４と第２導光部材１２の出射面１２４から出射される光は、第１導光部材１１のプリズム１１５の頂点１１５ａと、第２導光部材１２のプリズム１２５の頂点１２５ａに起因して縞模様に認識されるが、光拡散部４１により拡散した光が、これら頂点１１５ａ、１２５ａの領域を横切ることで、縞模様が見えにくくなる。
さらに、光拡散部４１で拡散された光が、幅方向で隣接する第１導光部材１１の出射面１１４と第２導光部材１２の出射面１２４との間隔Ｓ１を横切ることで、間隔Ｓ１の部分に起因するスジ状の影が見えにくくなる。
そして、導光体１０の出射面（第１導光部材１１の出射面１１４、第２導光部材１２の出射面１２４）から出射される光における輝度のバラツキが平均化されて抑えられるので、全体として縞状やスジ状の影を視認されにくくすることができる。
また、光拡散部４１の周縁４１ａが、全周に亘って遮光部材４０により囲まれており、第２導光部材１２の出射面１２４とから構成される導光体１０では、当該導光体１０の周縁が、光拡散部４１と遮光部材４０との境界により明確に規定されている。
よって、導光体１０から出射される光の周縁が、明確に区別できるようになっており、
出射される光の周縁が曖昧になって、視認される光の境界がぼやけた（滲んだ）感じになることを好適に防止できる。
【００３４】
（３）導光部材（第１導光部材１１および第２導光部材１２）では、各導光部材の厚み方向の一方の面が光の出射面１１４、１２４とされているとともに、他方の面が、各導光部材内に入射した光を反射して、反射した光の出射面１１４、１２４に対する入射角θ２を臨界角θ３未満にするプリズム１１５、１２５が設けられた加工面１１３、１２３（反射面）となっており、
第１導光部材１１と第２導光部材１２では、長手方向におけるプリズム１１５、１２５の分布（密度）を変更して、出射面１１４、１２４から出射される光の長手方向における輝度分布を調整する構成とした。
【００３５】
このように構成すると、長手方向におけるプリズム１１５、１２５の分布（密度）を変更することで、出射面１１４、１２４から出射される光の長手方向における輝度分布を、所望の輝度分布に調整できる。
【００３６】
（４）プリズム１１５、１２５は、出射面１１４、１２４から離れる方向に頂点１１５ａ、１２５ａを位置させた複数の尖り状の突起から構成されており、導光部材（第１導光部材１１、第２導光部材１２）においてプリズム１１５、１２５は、導光部材の長手方向における頂点１１５ａ、１２５ａの両側に、導光部材の幅方向に沿う傾斜面１１５ｂ、１１５ｃ、１２５ｂ、１２５ｃをそれぞれ有しており、長手方向の他端１１２、１２２側に位置する傾斜面１１５ｃ、１２５ｃで反射した光の出射面１１４に対する入射角θ２が、所定の臨界角θ３未満（図２の（Ａ）、破線）となるように、傾斜面１１５ｃ、１２５ｃの出射面１１４の法線ＶＬに対する角度θａが設定されている構成とした（図２の（Ａ）参照）。
【００３７】
このように構成すると、長手方向におけるプリズム１１５、１２５の分布（密度）を変更することで、出射面１１４、１２４から出射される光の長手方向における輝度分布を、所望の輝度分布に適切に調整できる。
【００３８】
ここで、制御部３０による光源２０Ａと光源２０Ｂの点灯／消灯は、上記した態様に限定されるものでは無く、光源２０Ａと光源２０Ｂとを交互に点灯させる構成としても良い。
また、前記した実施の形態では、照明装置１が、光拡散部４１を有する遮光部材４０を備える場合を例示したが、これら遮光部材４０を省略する構成としても良く、この場合にも、照明装置１の大型化を避けつつ、ユーザに、光が移動するように視認させることができる。
【００３９】
図６は、第１の変形例にかかる導光体１０Ａを有する照明装置１Ａを説明するための模式図であって、照明装置１Ａを光の出射面側から見た平面図である。
図７は、第２の変形例にかかる導光体１０Ｂを有する照明装置１Ｂを説明するための模式図であって、照明装置１Ｂを光の出射面側から見た平面図である。
なお、図６、７では、出射される光の量が最も多くなる領域を、符号Ｗを付して示している。
【００４０】
前記した実施の形態では、導光体１０の出射面を、幅方向に並べて配置された２つの導光部材（第１導光部材１１、第２導光部材１２）の出射面（出射面１１４、１２４）から構成した場合を例示したが、導光体１０は、少なくとも２つ以上の導光部材から構成されていれば良い。
よって、例えば、図６に示すように、幅方向に所定間隔で３つ並べて配置した導光部材（第１導光部材１１、第２導光部材１２、第３導光部材１３）から構成した導光体１０Ａを採用しても良い。
この場合には、第１導光部材１１と第２導光部材１２の間に位置する第３導光部材１３では、長手方向の一端１３１側と他端１３２側で出射面１３４から出射される光の量が最も少なくなり、長手方向における一端１３１と他端１３２の中間の領域Ｗで、出射される光の量が多くなるように、前記したプリズムの密度を設定することが好ましい。
【００４１】
また、図７に示すように、幅方向に所定間隔で４つ並べて配置した導光部材（第１導光部材１１、第２導光部材１２、第３導光部材１３、第４導光部材１４）から構成した導光体１０Ｂを採用しても良い。
この場合には、第３導光部材１３では、長手方向における一端１３１側と他端１３２側から出射される光量が最も少なくなり、長手方向における一端１３１と他端１３２の中間よりも、一端１３１寄りの領域Ｗから出射される光の量が多くなるようにプリズムの密度を設定し、第４導光部材１４では、長手方向における一端１４１側と他端１４２側から出射される光量が最も少なくなり、長手方向における一端１４１と他端１４２の中間よりも、他端１４２寄りの領域Ｗから出射される光の量が最も多くなるように、プリズムの密度を設定することが好ましい。
【００４２】
このように、
（５）長手方向の一端から入射した光を他端側に誘導する線状の導光部材（第１導光部材１１、第２導光部材１２、第３導光部材１３、第４導光部材１４）を、当該導光部材の幅方向に複数並べて構成した導光体１０Ｂと、
導光部材毎に用意されて、対応する導光部材に向けて光を照射する光源２０（２０Ａ〜２０Ｄ）と、
光源２０（２０Ａ〜２０Ｄ）の各々の点灯／消灯を制御する制御部３０（制御手段）と、を有する照明装置１Ｂであって、
導光部材（第１導光部材１１、第２導光部材１２、第３導光部材１３、第４導光部材１４）から出射される光の輝度分布を、導光部材の長手方向で異ならせて、
幅方向の一側に位置する第１導光部材１１から出射される光の長手方向での輝度分布を、長手方向の一端１１１側の領域が最も明るくなるように設定すると共に、
幅方向の他側に位置する第２導光部材１２から出射される光の長手方向での輝度分布を、長手方向の他端１２２側の領域が最も明るくなるように設定し、
第１導光部材１１と第２導光部材１２の間の第３導光部材１３、第４導光部材１４では、一側の第１導光部材１１側に位置する第３導光部材１３から、他側の第２導光部材１２側に位置する第４導光部材１４になるにつれて、出射される光の輝度分布が最も明るくなる領域Ｗが、長手方向の一端（１３１、１４１）側から他端（１３２、１４２）側に順番に移動するように、各導光部材から出射される光の輝度分布を設定し、
制御手段が、一側の第１導光部材１１の光源２０Ａから順番に他側の第２導光部材１２の光源２０Ｂまで点灯させる構成とした。
【００４３】
このように構成することによっても、導光体１０Ｂでは、明るい領域Ｗが、長手方向の一端から他端に向けて移動するように、ユーザにより視認される。
このように、導光部材（第１導光部材１１、第２導光部材１２、第３導光部材１３、第４導光部材１４）の長手方向における一端にのみ光源２０（２０Ａ〜２０Ｄ）を設けて、導光体１０Ｂにおける明るい領域が、一端から他端に向けて移動するように視認させることができるので、光源２０（２０Ａ〜２０Ｄ）が設けられる基板２を、導光体１０Ｂの一端側のみに設けることができる。
よって、導光部材（第１導光部材１１、第２導光部材１２、第３導光部材１３、第４導光部材１４）から構成される導光体１０Ｂの長手方向の長さが長くなっても、光源２０（２０Ａ〜２０Ｄ）が長手方向の一端にのみ設けられているので、基板２の長さを長くすることや、光源２０（２０Ａ〜２０Ｄ）と基板２とを繋ぐ配線を別途用意することを必要としないので、照明装置１の大型化や製品コストが高くなるのを避けつつ、ユーザに、光が移動するように視認させることができる。
よって、導光体１０Ａ全体として、前記した実施の形態の場合と同様の、作用、効果が奏されることになる。
【００４４】
図８は、第３の変形例にかかる導光体１０Ｃを説明する模式図である。
前記した実施の形態では、第１導光部材１１と第２導光部材１２を、長手方向の一端１１１、１２１と、他端１１２、１２２の位置を揃えた状態で、幅方向に間隔Ｓ１を開けて互いに平行に設けた場合を例示したが、例えば、図８に示すように、導光体を、４つの導光部材（第１導光部材１１、第２導光部材１２、第３導光部材１３、第４導光部材１４）から構成した場合には、２つのグループに分けて、一方のグループに含まれる導光部材（第１導光部材１１、第３導光部材１３）と、他方のグループに含まれる導光部材（第２導光部材１２、第４導光部材１４）とが、導光部材の長手方向にオフセットさせた位置関係で設けられた導光体１０Ｃとしても良い。
【００４５】
この場合には、一方のグループに含まれる導光部材（第１導光部材１１、第３導光部材１３）では、長手方向の他端１１２、１３２に対向して光源２０Ａ、２０Ｃを配置し、
他方のグループに含まれる導光部材（第２導光部材１２、第４導光部材１４）では、長手方向の一端１２１、１４１に対向して光源２０Ｂ、２０Ｄを配置することで、導光部材の長手方向で、光源２０Ａ、２０Ｃと、光源２０Ｂ、２０Ｄと、を近接して配置できる。
よって、この場合には、第１導光部材１１から第４導光部材１４により構成される導光体１０Ｃの長手方向の長さＬａを長くしつつ、光源２０Ａ、２０Ｂ、２０Ｃ、２０Ｄが実装される基板２Ａの長手方向の長さＬｂを最小にすることができる。
これにより、導光体１０Ｃの長手方向の長さが長くなっても、光源２０（２０Ａ、２０Ｂ、２０Ｃ、２０Ｄ）と基板２Ａとを繋ぐ配線を別途用意する必要が無い、または基板２Ａの長さを導光体１０Ｃの長手方向の全長よりも短くできるので、照明装置１の大型化や製品コストが高くなるのを避けつつ、光が移動するように視認させることができる。
【００４６】
このように、
（６）幅方向で並んだ複数の導光部材（第１導光部材１１、第２導光部材１２、第３導光部材１３、第４導光部材１４）では、幅方向における一側で隣接する２つの導光部材（第１導光部材１１、第３導光部材１３）が、他側で隣接する残りの導光部材（第２導光部材１２、第４導光部材１４）に対して、長手方向でオフセットした位置に設けられており、
第１導光部材１１、第３導光部材１３に対応する光源２０Ａ、２０Ｃを、長手方向の他端１１２、１３２側に配置すると共に、第２導光部材１２、第４導光部材１４に対応する光源２０Ｂ、２０Ｄを、長手方向の一端１２１、１４１側に配置して、これら光源２０Ａ〜２０Ｄを共通の基板２Ａを設け、
制御部３０が、第１導光部材１１と、第３導光部材１３と、第４導光部材１４と、第２導光部材１２とを、順番に点灯したのち、順番に消灯する構成とした。
【００４７】
このように構成することによっても、第１導光部材１１、第３導光部材１３に対応する光源２０Ａ、２０Ｃと、第２導光部材１２、第４導光部材１４に対応する光源２０Ｂ、２０Ｄを共通の基板２Ａに設けることができるので、導光部材（第１導光部材１１、第２導光部材１２、第３導光部材１３、第４導光部材１４）から構成される導光体１０Ｂの長手方向の長さが長くなっても、基板２Ａの長さを長くすることや、光源２０（２０Ａ〜２０Ｄ）と基板２Ａとを繋ぐ配線を別途用意することを必要としないので、照明装置１の大型化や製品コストが高くなるのを避けつつ、ユーザに、光が移動するように視認させることができる。
よって、導光体１０Ｃ全体として、前記した実施の形態の場合と同様の、作用、効果が奏されることになる。
【００４８】
図９から図１１は、光拡散部４１を有する遮光部材４０の変形例を説明する図である。
前記した実施の形態では、遮光部材４０に設けた帯状の光拡散部４１を、導光部材（第１導光部材１１、第２導光部材１２）の長手方向に沿って設けた場合を例示したが、図９〜図１１に示すように、光拡散部４１Ａを、導光部材（第１導光部材１１）の長手方向に沿う中心線Ｘ１に対して所定角度傾斜させた構成の遮光部材４０Ａを採用しても良い。
【００４９】
例えば、図９に示すように、導光体１０Ｄが、２つの導光部材（第１導光部材１１、第２導光部材１２）から構成される場合には、平面視において、帯状の光拡散部４１Ａの長手方向の一端部４１１Ａが、第１導光部材１１の一端１１１側と重なると共に、他端部４１２Ａが、第２導光部材１２の他端１２２と重なるように、第１導光部材１１の長手方向に沿う中心線Ｘ１に対して所定角度θｂ傾斜した線分Ｘ３に沿って、光拡散部４１Ａを設けて、帯状の光拡散部４１Ａを、第１導光部材１１と第２導光部材１２の出射される光の量が多い領域（明るい領域）を横断するように設けた構成とすることが好ましい。
【００５０】
また、例えば、図１０に示すように、導光体１０Ｅが、３つの導光部材（第１導光部材１１、第２導光部材１２、第３導光部材１３）から構成される場合には、平面視において、帯状の光拡散部４１Ａの長手方向の一端部４１１Ａが、第１導光部材１１の一端１１１側と重なると共に、他端部４１２Ａが、第２導光部材１２の他端１２２と重なり、さらに、光拡散部４１Ａの長手方向の中央部が、第３導光部材１３の長手方向の中央部に重なるように設けて、帯状の光拡散部４１Ａを、第１導光部材１１と第２導光部材１２と第３導光部材１３の出射される光の量が多い領域（明るい領域）を横断するように設けた構成とすることが好ましい。
【００５１】
さらに、例えば、図１１に示すように、導光体１０Ｆが、幅方向で並んだ複数の導光部材（第１導光部材１１、第２導光部材１２、第３導光部材１３、第４導光部材１４）を有すると共に、幅方向における一側で隣接する２つの導光部材（第１導光部材１１、第３導光部材１３）が、他側で隣接する残りの導光部材（第２導光部材１２、第４導光部材１４）に対して、長手方向でオフセットした位置に設けられている場合にも、帯状の光拡散部４１Ａを、第１導光部材１１と第２導光部材１２と第３導光部材１３の出射される光の量が多い領域（明るい領域）を横断するように設けた構成とすることが好ましい。
【００５２】
このように、
（７）幅方向に複数並べた導光部材（第１導光部材１１、第２導光部材１２、第３導光部材１３、第４導光部材１４）の出射面を覆う遮光部材４０Ａをさらに備えると共に、
遮光部材４０の一部には、導光部材の出射面から出射された光を透過させると共に拡散させる帯状の光拡散部４１Ａが設けられており、
光拡散部４１Ａは、導光部材の長手方向に対して所定角度傾斜して、光拡散部４１の長手方向の一端部４１１Ａ側が、幅方向に並べた導光部材の一側に位置する第１導光部材１１の長手方向の一端１１１側と重なり、他端部４１２Ａ側が、幅方向に並べた導光部材の他側に位置する第２導光部材１２の長手方向の他端１２２側に重なるように設けられて、帯状の光拡散部４１Ａを、各導光部材（例えば、第１導光部材１１と第２導光部材１２と第３導光部材１３）の出射される光の量が多い領域（明るい領域）を横断するように設けた構成とした。
【００５３】
このように構成すると、帯状の光拡散部４１Ａは、各導光部材（例えば、第１導光部材１１と第２導光部材１２と第３導光部材１３）の明るい領域を横断して設けられており、光拡散部４１Ａの下方に、導光部材における明るい領域と暗い領域との明確な境界が存在しないので、光拡散部４１Ａと通過してユーザに視認される光に、輝度ムラや滲みが生じることを好適に防止できる。
【００５４】
次に、他の変形例にかかる導光体１０Ｇを、図１２を参照しながら説明する。
図１２は、変形例にかかる導光体１０Ｇの要部を拡大して示す断面図である。
導光体１０Ｇは、幅方向で隣接して互いに平行に配置された第１導光部材１１と第２導光部材１２とを有しており、これら第１導光部材１１と第２導光部材１２の一端１１１、１２１側は、連結部１５により連結されている。
【００５５】
連結部１５は、第１導光部材１１と第２導光部材１２の一端１１１、１２１から、他端１１２、１２２側の所定長さＬ１（図１の（Ｂ）参照）の範囲に設けられており、導光体１０Ｇは、第１導光部材１１と第２導光部材１２と連結部１５とから一体に形成されている。
【００５６】
連結部１５の長さＬ２は、第１導光部材１１と第２導光部材１２の一端１１１、１２１）から入射した光が、長手方向における連結部１５の部分で、第１導光部材１１と外部との境界面Ｋ１、Ｋ２や、第２導光部材１２と外部との境界面Ｋ３、Ｋ４、に到達することの無い長さに設定されている。
連結部１５の部分で、入射した光が、境界面Ｋ１〜Ｋ４に到達すると、到達した境界面Ｋ１〜Ｋ４から光が出射されてしまい、一端１１１、１２１から入射した光を、他端１１２、１２２側に適切に誘導できなくなるからである。
【００５７】
このように、
（８）第１導光部材１１の一端１１１から他端１１２側の所定の長さＬ１（図１の（Ｂ）参照）範囲には、幅方向で隣接する第２導光部材１２との連結部１５が設けられており、幅方向に並べた複数の第１導光部材１１と第２導光部材１２は、幅方向で隣接する連結部１５同士を互いに連結して、導光体１０Ｇを構成しており、
長手方向における連結部１５の長さＬ２を、一端１１１から第１導光部材１１内に入射した光源２０Ａ（光源２０Ｂ）からの光が、連結部１５内で第１導光部材１１（第２導光部材１２）と第１導光部材１１（第２導光部材１２）の外部との境界に到達しない長さに設定した。
【００５８】
第１導光部材１１と、第２導光部材１２とを別々に用意した場合には、第１導光部材１１と第２導光部材１２とを、幅方向で並べた状態で配置するための治具などが必要となるが、上記のように構成すると、幅方向で隣接する第１導光部材１１と第２導光部材１２とを、成型時に一体に形成できるので、治具を用意する必要が無い。
治具を用いる場合には、治具を設置するための空間を用意する必要があるが、そのような治具が必要ないことで、かかる空間を設ける必要が無い。
よって、照明装置の小型化と、連結治具を用いないことによる作成コストの低減が期待できる。
【００５９】
そして、入射した光が連結部１５の部分で境界面Ｋ１〜Ｋ４に到達すると、到達した境界面Ｋ１〜Ｋ４から光が出射されてしまい、一端１１１、１２１から入射した光を、他端１１２、１２２側に適切に誘導できなくなるが、入射した光が連結部１５の部分で境界面Ｋ１〜Ｋ４に到達しないように連結部１５の長さＬ２を設定したので、一端１１１、１２１から入射した光を、他端１１２、１２２側に適切に誘導できる。
【００６０】
次に、他の変形例にかかる導光部材１１Ａを説明する。
図１３は、変形例にかかる導光部材１１Ａの断面図である。
【００６１】
図１３に示すように、変形例にかかる導光部材１１Ａの他端１１２側では、他端１１２に向かうにつれて厚みが薄くなる向きの傾斜部１１８が、遮光部材４０側に設けられており、この傾斜部１１８は、前記したプリズムが設けられた反射面１１３（加工面）に対して所定角度θ４傾斜している。
【００６２】
実施の形態では、反射面１１３（加工面）で反射して傾斜部１１８に到達した光ＬＴの傾斜部１１８の入射角θ５（法線ＶＬに対する角度）が、臨界角よりも小さい角度であって、傾斜部１１８で屈折した光の進行方向が、少なくとも第１導光部材１１から離れた位置で遮光部材４０に交差する方向（図中、Ｄｘ参照）となるように、傾斜部１１８の角度θ４が設定されている。
【００６３】
このように、
（９）導光部材１１Ａの他端１１２側では、出射面が、他端１１２側に向かうにつれて導光部材１１Ａの厚みが薄くなる向きで反射面１１３（加工面）に対して傾斜した傾斜部１１８が設けられており、
傾斜部１１８における反射面１１３（加工面）に対する傾斜角を、反射面１１３（加工面）で反射して傾斜部１１８に到達した光が、導光部材１１Ａの長手方向における他端１１２側に向かう方向であって、少なくとも第１導光部材１１から離れた位置で遮光部材４０に交差する方向Ｄｘに屈折する角度に設定した構成とした。
【００６４】
このように構成すると、一端１１１から導光部材１１Ａに入射したのち、出射面１１４から出射されることなく、他端１１２側の傾斜部１１８までに到達した光ＬＴは、導光部材１１Ａの延長線方向（図中、右方向）に向けて出射されることになる。
ここで、傾斜部１１８が設けられておらず、前記した第１導光部材１１の他端１１２（図２の（Ｃ）、（Ｄ）参照）のように、他端１１２が出射面１１４に対して直交している場合には、他端１１２から屈折して外部に出射した光が意図しない方向に向けて出射されてしまう虞があるが、上記のように構成すると、傾斜部１１８から出射される光の進行方向をコントロールできるので、出射した光が意図しない方向に向けて出射されることが無い。
【００６５】
よって、出射した光が意図しない方向に向けて出射された場合には、幅方向で隣接する他の導光部材に光が入射してしまい、当該他の導光部材から出射される光に入り込む結果、輝度ムラや、出射される光に滲み等を生じる虞があるが、かかる事態の発生を好適に防止できることになる。
【００６６】
また、前記した実施形態では、各導光部材の一端または他端側に１つの光源を設けて、導光部材に対して１つの光源から照射された光が入射する場合を例示したが、導光部材に対して複数の光源を設けて、各光源から照射された光が入射するように構成しても良い。
このように構成すると、複数の光源の点灯数に応じて、１つの導光部材の輝度が変化し、グラデーションなどのより多彩な照明効果を奏し得る。
【００６７】
また、前記した実施の形態では、プリズムの長手方向の間隔を粗密に変化させることで、出射面における光の明るさを調整する場合を例示したが、これに限定されるものではなく、プリズムの長手方向の間隔は一定にし、導光部材の背面におけるプリズムの形成される範囲（面積）を長手方向で変えるようにしても良い。
【００６８】
例えば、第１の実施形態において、第１導光部材１１の加工面１１３のプリズム１１５の形成範囲を、第１導光部材１１の一端１１１側の方が、他端１１２側よりも広くすると共に、第２導光部材１２の加工面１２３のプリズム１２５の形成範囲を、第２導光部材１２の他端１２２側の方が、一端１２１側よりも広くするようにしても良い。
【００６９】
このように構成しても、第１導光部材１１では、一端１１１の方が他端１１２よりも光の出射量が多く（明るく）なり、第２導光部材１２では、他端１２２の方が一端１２１よりも光の出射量が多く（明るく）なる。よって、前記した実施の形態と同様の作用効果を奏し得る。
【００７０】
また、前記した実施の形態では、導光部材の断面は矩形形状の場合を例示したが、これに限定されるものではなく、導光部材の断面を円形形状、半円形状、楕円形形状などにしても良く、このように構成しても前記した効果と同様の効果を奏し得る。
【００７１】
前記した照明装置１、１Ａ、１Ｂは、例えば、車両の車室内における照明演出にも利用可能である。
この場合、例えば、イグニッションスイッチのＯＮまたは車両ドアの開閉に連動して、照明装置１、１Ａ、１Ｂを、前記した実施の形態の所定のパターンで点灯／消灯させることができるので、適切な照明演出が可能である。
【００７２】
本発明は上記した実施形態に限定されるものではなく、その技術的思想の範囲内でなしうるさまざまな変更、改良が含まれる。
【符号の説明】
【００７３】
１、１Ａ、１Ｂ    照明装置
２、２Ａ  基板
２Ａ    基板
１０、１０Ａ〜１０Ｇ  導光体
１１    第１導光部材
１１Ａ  導光部材
１２    第２導光部材
１３    第３導光部材
１４    第４導光部材
１５    連結部
２０（２０Ａ〜２０Ｄ）  光源
３０    制御部
４０、４０Ａ  遮光部材
４０ａ  周縁
４１、４１Ａ  光拡散部
４１ａ  周縁
１１１  一端
１１２  他端
１１３  加工面
１１４  出射面
１１５  プリズム
１１５ａ  頂点
１１５ｂ  傾斜面
１１５ｃ  傾斜面
１１６  側面
１１７  側面
１１８  傾斜部
１２１  一端
１２２  他端
１２３  加工面
１２４  出射面
１２５  プリズム
１２５ａ  頂点
１２６  側面
１２７  側面
１３１  一端
１３２  他端
１３４  出射面
１４１  一端
１４２  他端
４１１Ａ  一端部
４１１Ｂ  他端部
４１２Ａ  他端部
ＬＴ    光
Ｓ１    間隔
【図１】
0006553942.tif 000002
【図２】
0006553942.tif 000003
【図３】
0006553942.tif 000004
【図４】
0006553942.tif 000005
【図５】
0006553942.tif 000006
【図６】
0006553942.tif 000007
【図７】
0006553942.tif 000008
【図８】
0006553942.tif 000009
【図９】
0006553942.tif 000010
【図１０】
0006553942.tif 000011
【図１１】
0006553942.tif 000012
【図１２】
0006553942.tif 000013
【図１３】
0006553942.tif 000014